(57)【特許請求の範囲】
【請求項１】
原子力発電プラントの特定の部位を制御するための操作を受け付ける操作部と、
前記操作部が受け付けた操作に対応する制御信号が前記部位へとつながる経路上の所定の位置へ伝達されたことを通知する通知手段と、
前記経路上の前記所定の位置から前記部位までのいずれかの位置において、前記制御信号が前記部位へ到達することを阻止する阻止手段と
を備え、
前記阻止手段は、異なる経路を通じて複数の制御信号を受信した場合にのみ前記部位へ制御信号を到達させる多数決回路であり、複数の系統の検出手段のうち、少なくともＮ（Ｎは２以上の整数）系統の検出手段から制御信号として原子炉トリップ信号を受信した場合に前記部位へ原子炉トリップ信号を到達させ、
前記操作部は、前記複数の系統の検出手段のそれぞれに対応して設けられ、
前記操作部が操作されたことを示す制御信号は、前記所定の位置で検出される前に、前記操作部に対応する系統の検出手段が出力する信号と論理和演算される
ことを特徴とする原子力発電プラント制御システム。
【請求項２】
前記操作部は、前記原子力発電プラントの中央制御室に設けられ、
前記通知手段は、前記中央制御室に所在する運転員に対して通知を行うことを特徴とする請求項１に記載の原子力発電プラント制御システム。
【請求項３】
前記阻止手段は、試験中である旨を示す信号を受信している場合に前記制御信号が前記部位へ到達することを阻止することを特徴とする請求項１または２に記載の原子力発電プラント制御システム。
【請求項４】
原子力発電プラントの特定の部位を制御するための操作を受け付ける操作部を通じて操作を受け付けるステップと、
前記操作部が受け付けた操作に対応する制御信号を、前記部位へとつながる経路上の所定の位置で検出するステップと、
前記制御信号が前記所定の位置へ伝達されたことを通知するステップと、
前記経路上の前記所定の位置から前記部位までのいずれかの位置において、前記制御信号が前記部位へ到達することを阻止するステップと
を含み、
前記阻止するステップにおいては、異なる経路を通じて複数の制御信号を受信した場合にのみ前記部位へ制御信号を到達させる多数決処理が行われ、複数の系統の検出手段のうち、少なくともＮ（Ｎは２以上の整数）系統の検出手段から制御信号として原子炉トリップ信号を受信した場合に前記部位へ原子炉トリップ信号が到達するように処理され、
前記操作部は、前記複数の系統の検出手段のそれぞれに対応して設けられ、
前記操作部が操作されたことを示す制御信号は、前記所定の位置で検出される前に、前記操作部に対応する系統の検出手段が出力する信号と論理和演算される
ことを特徴とする原子力発電プラント検査方法。
【発明の詳細な説明】
【技術分野】
【０００１】
本発明は、原子力発電プラント制御システムおよび原子力発電プラント検査方法に関し、特に、原子力発電プラントの運転中に試験を実施することができる原子力発電プラント制御システムおよび原子力発電プラント検査方法に関する。
【背景技術】
【０００２】
原子力発電プラントを制御する原子力発電プラント制御システムは、高い信頼性を維持するために、各機能を定期的に試験することを求められている。原子力発電プラントを制御する原子力発電プラント制御システムの各機能の試験は、例えば、原子炉が停止される定期点検期間に試験装置を用いて行われる（例えば、特許文献１参照）。
【０００３】
近年では、ディジタル制御装置の適用により、原子力発電プラント制御システムに含まれる制御装置内のソフトウェアは、自己診断により、従来のような定期試験なしに信頼性を維持可能となっている。このため、手動による試験が必要な部位は、入出力部や外部のハードワイヤード機器（スイッチ、ケーブル等）となっている。
【先行技術文献】
【特許文献】
【０００４】
【特許文献１】特開２００２−１０８４４３号公報
【発明の概要】
【発明が解決しようとする課題】
【０００５】
しかしながら、定期点検期間の長さには限りがあるため、原子力発電プラント制御システムの各機能の試験は、できるだけプラントの運転中に行うことが望ましい。特に、米国では、定期点検期間が短縮されており、プラントの運転中に試験を可能にすることへの要望が強くなっている。
【０００６】
本発明は、上記に鑑みてなされたものであって、原子力発電プラントの運転中に試験を実施することができる原子力発電プラント制御システムおよび原子力発電プラント検査方法を提供することを目的とする。
【課題を解決するための手段】
【０００７】
上述した課題を解決し、目的を達成するために、本発明は、原子力発電プラント制御システムであって、原子力発電プラントの特定の部位を制御するための操作を受け付ける操作部と、前記操作部が受け付けた操作に対応する制御信号が前記部位へとつながる経路上の所定の位置へ伝達されたことを通知する通知手段と、前記経路上の前記所定の位置から前記部位までのいずれかの位置において、前記制御信号が前記部位へ到達することを阻止する阻止手段とを備えることを特徴とする。
【０００８】
この原子力発電プラント制御システムでは、制御信号が制御対象へ到達することを阻止可能にするとともに、制御信号を阻止した場合でも、制御信号が所定の位置で検出されたことを通知することとしたので、原子力発電プラントの運転を継続したままで、所定の位置まで制御信号が到達するか否かを試験することができる。
【０００９】
また、本発明の望ましい態様としては、前記操作部は、前記原子力発電プラントの中央制御室に設けられ、前記通知手段は、前記中央制御室に所在する運転員に対して通知を行うことが好ましい。
【００１０】
この態様では、中央制御室に所在する運転員が試験を実施することができるので、試験に必要な要員を減らすことができる。
【００１１】
また、本発明の望ましい態様としては、前記阻止手段は、試験中である旨を示す信号を受信している場合に前記制御信号が前記部位へ到達することを阻止することが好ましい。
【００１２】
この態様では、試験中である旨を示す信号を送信することによって、原子力発電プラントの運転を継続したままで試験を実施することができる。
【００１３】
また、本発明の望ましい態様としては、前記阻止手段は、異なる経路を通じて複数の制御信号を受信した場合にのみ前記部位へ制御信号を到達させる多数決回路であることが好ましい。
【００１４】
この態様では、複数の系統から信号を送信しないようにすることによって、原子力発電プラントの運転を継続したままで試験を実施することができる。
【００１５】
また、本発明の望ましい態様としては、前記阻止手段は、複数の系統の検出手段のうち、少なくとも２系統の検出手段から制御信号として原子炉トリップ信号を受信した場合に前記部位へ原子炉トリップ信号を到達させる多数決回路であり、前記操作部は、前記複数の系統の検出手段のそれぞれに対応して設けられ、前記操作部が操作されたことを示す制御信号は、前記所定の位置で検出される前に、前記操作部に対応する系統の検出手段が出力する信号と論理和演算されることが好ましい。
【００１６】
この態様では、１つの系統から信号を送信することによって、原子力発電プラントの運転を継続したままで、原子炉トリップに関する試験を実施することができる。
【００１７】
また、上述した課題を解決し、目的を達成するために、本発明は、原子力発電プラント検査方法であって、原子力発電プラントの特定の部位を制御するための操作を受け付ける操作部を通じて操作を受け付けるステップと、前記操作部が受け付けた操作に対応する制御信号を、前記部位へとつながる経路上の所定の位置で検出するステップと、前記制御信号が前記所定の位置へ伝達されたことを通知するステップと、前記経路上の前記所定の位置から前記部位までのいずれかの位置において、前記制御信号が前記部位へ到達することを阻止するステップとを含むことを特徴とする。
【００１８】
この原子力発電プラント検査方法では、制御信号が制御対象へ到達することを阻止可能にするとともに、制御信号を阻止した場合でも、制御信号が所定の位置で検出されたことを通知することとしたので、原子力発電プラントの運転を継続したままで、所定の位置まで制御信号が到達するか否かを試験することができる。
【発明の効果】
【００１９】
本発明に係る原子力発電プラント制御システムおよび原子力発電プラント検査方法は、原子力発電プラントの運転中に試験を実施することができるという効果を奏する。
【図面の簡単な説明】
【００２０】
【図１】図１は、実施例１に係る原子力発電プラント制御システムの概略構成を示す図である。
【図２】図２は、実施例１に係る制御装置の動作を示すフロー図である。
【図３】図３は、実施例２に係る原子力発電プラント制御システムの概略構成を示す図である。
【図４】図４は、実施例２に係る原子力発電プラント制御システムの動作を示すフロー図である。
【発明を実施するための形態】
【００２１】
以下に、本発明に係る原子力発電プラント制御システムおよび原子力発電プラント検査方法の実施例を図面に基づいて詳細に説明する。なお、この実施例によりこの発明が限定されるものではない。また、この実施例における構成要素には、当業者が容易に想定できるもの、実質的に同一のもの、いわゆる均等の範囲のものが含まれる。
【実施例１】
【００２２】
まず、図１を参照しながら、実施例１に係る原子力発電プラント制御システムの構成について説明する。図１は、実施例１に係る原子力発電プラント制御システム１の概略構成を示す図である。図１に示すように、原子力発電プラント制御システム１は、操作端末１０と、操作盤２０と、制御装置３０と、制御対象装置４０とを有する。操作端末１０と操作盤２０は、中央制御室６内に設置される。
【００２３】
操作端末１０は、原子力発電プラントの運転のための各種操作を受け付けるとともに、原子力発電プラントの運転状況に関する各種情報を提示する。操作盤２０は、制御ボタン２１を有し、制御ボタン２１が受け付けた操作に応じて、制御対象装置４０を制御するための制御信号を制御装置３０へ送信する。なお、操作盤２０は、操作端末１０と一体に設けられていてもよい。また、制御ボタン２１は、物理的なボタンであってもよいし、画面上に表示される仮想的なボタンであってもよい。
【００２４】
制御対象装置４０は、操作盤２０が送信した制御信号に基づいて所定の機能を発揮する。制御対象装置４０は、例えば、原子力発電プラントに設けられた弁、ポンプ、ヒータ等に相当する。
【００２５】
制御装置３０は、入力された信号に基づいて所定の演算処理を行い、演算結果に応じた信号を出力する。また、制御装置３０は、原子力発電プラントの運転を停止することなく制御ボタン２１の操作に関する試験を行う機能をもつ。この機能に関連する構成として、制御装置３０は、デジタル入力部（ＤＩ）３１と、デジタル出力部（ＤＯ）３２と、制御信号阻止部３３とを有する。
【００２６】
ＤＩ３１は、操作盤２０から送信された制御信号を受信する。ＤＯ３２は、制御対象装置４０へ制御信号を送信する。制御信号阻止部３３は、ＮＯＴ回路３３ａと、ＡＮＤ回路３３ｂとを備え、操作端末１０に対して行われた操作に基づいて、ＤＩ３１で受信された制御信号がＤＯ３２から制御対象装置４０へ送信されるのを阻止する。
【００２７】
具体的には、操作端末１０には、試験許可ボタン１１が設けられており、操作端末１０は、試験許可ボタン１１に対して行われた操作に応じて、１（Ｈｉｇｈ）または０（Ｌｏｗ）を試験許可信号として制御信号阻止部３３へ送信する。ここで、試験許可信号が１である場合、制御ボタン２１の操作に関する試験中であることを意味し、試験許可信号が０である場合、通常の運転中であることを意味するものとする。なお、試験許可ボタン１１は、物理的なボタンであってもよいし、画面上に表示される仮想的なボタンであってもよい。
【００２８】
制御信号阻止部３３は、試験許可信号をＮＯＴ回路３３ａで反転させてＡＮＤ回路３３ｂに入力させる。また、制御信号阻止部３３は、ＤＩ３１で受信された制御信号をＡＮＤ回路３３ｂに入力させる。ＡＮＤ回路３３ｂは、反転された試験許可信号と制御信号の論理積演算を行い、演算結果をＤＯ３２へ出力する。
【００２９】
したがって、制御信号阻止部３３は、試験許可信号が１の場合、すなわち、制御ボタン２１の操作に関する試験中である場合には、ＤＩ３１で受信された制御信号がＤＯ３２から制御対象装置４０へ送信されるのを阻止する。また、制御信号阻止部３３は、試験許可信号が０の場合、すなわち、通常の運転中である場合には、ＤＩ３１で受信された制御信号をＤＯ３２から制御対象装置４０へ送信させる。
【００３０】
また、制御装置３０は、ＤＩ３１で受信された制御信号が制御信号阻止部３３に入力される前に分岐され、分岐された制御信号が操作端末１０へ送信されるように構成されている。操作端末１０は、通知ランプ１２を備え、制御装置３０から制御信号が送信されると通知ランプ１２を点灯させる。すなわち、原子力発電プラント制御システム１は、制御信号阻止部３３が制御信号を阻止しているか否かに関わらず、制御ボタン２１の操作に応じて送信された制御信号がＤＩ３１から制御信号阻止部３３へ向けて出力されると、その旨が通知ランプ１２によって通知されるように構成されている。
【００３１】
以上のような構成を有する原子力発電プラント制御システム１において、原子力発電プラントの運転中に制御ボタン２１の操作に関して図１に示す試験対象部分７（ＤＩ３１の前後の部分）の試験が必要になった場合、中央制御室６内の運転員は以下のような操作を行う。
【００３２】
まず、運転員は、試験許可ボタン１１を操作して、制御ボタン２１の操作に関する試験中であることを示す信号が操作端末１０から制御装置３０へ送信される状態とする。続いて、運転員は、制御ボタン２１を操作し、操作に応じて通知ランプ１２による通知が行われるのを確認する。このとき、制御信号は制御信号阻止部３３によって阻止され、制御対象装置４０へは到達しない。そして、通知ランプ１２による通知を確認した後、制御ボタン２１を元の状態へ戻し、さらに、試験許可ボタン１１を元の状態へ戻す。
【００３３】
このような操作により、原子力発電プラントが運転中であっても、制御対象装置４０の制御状態を変更することなく、試験対象部分７が正常に機能するか否かを試験することができる。
【００３４】
また、原子力発電プラント制御システム１には、試験に必要な設備と要員を減らすことができるという利点がある。従来、原子力発電プラント制御システムの試験は、原子力発電プラント制御システムに含まれる制御装置に付随する試験装置を用いて行われていた。このため、従来の原子力発電プラント制御システムでは、原子力発電プラントの運転中に試験を行うには、中央制御室内の運転員に加えて、制御装置近辺に試験装置を操作する操作員を配置する必要があった。原子力発電プラント制御システム１では、運転員が中央制御室６に所在したまま試験を実施できるため、制御装置３０近辺に操作員を配置する必要がなく、また、試験装置が不要となっている。
【００３５】
次に、図１に示した制御装置３０の動作について図２を参照しながら説明する。図２は、制御装置３０の動作を示すフロー図である。図２に示すように、ステップＳ１０として、制御装置３０のＤＩ３１で制御信号が受信されると、制御装置３０は、ステップＳ１１として、操作端末１０の通知ランプ１２を点灯させる。
【００３６】
そして、操作端末１０から送信される試験許可信号が１である場合、すなわち、制御ボタン２１の操作に関する試験中である場合には（ステップＳ１２，Ｙｅｓ）、制御信号阻止部３３が、ステップＳ１３として、制御信号が制御対象装置４０へ送信されるのを阻止する。一方、操作端末１０から送信される試験許可信号が０である場合、すなわち、通常の運転中である場合には（ステップＳ１２，Ｎｏ）、制御信号阻止部３３は、ステップＳ１４として、制御信号を制御対象装置４０へ送信させる。
【００３７】
上述してきたように、実施例１では、試験許可ボタン１１の操作に基づいて制御信号を阻止する制御信号阻止部３３を設けるとともに、制御信号阻止部３３の動作にかかわらず制御信号の状況を通知する通知ランプ１２を設けたので、中央制御室６に所在する運転員が、原子力発電プラントの運転を継続したまま原子力発電プラント制御システム１の試験を実施することができる。
【実施例２】
【００３８】
実施例１では、操作端末１０を操作して操作端末１０から制御信号阻止部３３へ試験中である旨を示す信号を送信することによって試験中に制御信号が制御対象装置４０へ到達するのを阻止する例を示したが、他の仕組みによって試験中に制御信号が制御対象の装置へ到達するのを阻止することとしてもよい。そこで、実施例２では、多数決回路を利用して、試験中に制御信号が制御対象の装置へ到達するのを阻止する例について説明する。
【００３９】
まず、図３を参照しながら、実施例２に係る原子力発電プラント制御システムの構成について説明する。図３は、実施例２に係る原子力発電プラント制御システム２の概略構成を示す図である。図３に示すように、原子力発電プラント制御システム２は、操作端末５０ａ〜５０ｄと、検出部６０ａ〜６０ｄと、制御装置７０ａ〜７０ｄと、トリップ制御装置８０と、制御棒駆動装置９０とを有する。操作端末５０ａ〜５０ｄは、中央制御室６内に設置される。
【００４０】
検出部６０ａ〜６０ｄは、それぞれ、原子炉のトリップが必要な事象の発生を検出するためのセンサと、センサの検出値を閾値演算するための閾値演算部とを有する。そして、検出部６０ａ〜６０ｄは、センサの検出値が閾値を超過した場合に、原子炉のトリップを実行させるための制御信号である原子炉トリップ信号を制御装置７０へ送信する。このように、原子力発電プラント制御システム２は、４つの系統が、それぞれ独立して、原子炉のトリップが必要な事象の発生を検出するように構成されている。
【００４１】
トリップ制御装置８０は、検出部６０ａ〜６０ｄでの検出状況に応じて、制御棒駆動装置９０への電源供給回路を開放する。具体的には、トリップ制御装置８０は、多数決回路８１を備え、多数決回路８１は、４つの系統のうち、少なくとも２つ以上の系統から原子炉トリップ信号が送信された場合に、制御棒駆動装置９０への電源供給回路を開放する。
【００４２】
このように多数決回路８１を設けることにより、一部の系統に異常が生じても、原子力発電プラント制御システム２を適正に動作させることができる。また、多数決回路８１は、後述するように、試験中に制御棒駆動装置９０への電源供給回路が開放されるのを阻止する制御信号阻止部としても機能する。
【００４３】
制御棒駆動装置９０は、トリップ制御装置８０において電源供給回路が開放され、電源が供給されるようになると、制御棒を駆動して原子炉をトリップさせる。
【００４４】
制御装置７０ａ〜７０ｄは、入力された信号に基づいて所定の演算処理を行い、演算結果に応じた信号を出力する。制御装置７０ａは、原子炉トリップ信号に関連する構成として、ＤＩ７１ａと、ＯＲ回路７２ａと、ＤＯ７３ａとを有する。制御装置７０ｂは、原子炉トリップ信号に関連する構成として、ＤＩ７１ｂと、ＯＲ回路７２ｂと、ＤＯ７３ｂとを有する。制御装置７０ｃは、原子炉トリップ信号に関連する構成として、ＤＩ７１ｃと、ＯＲ回路７２ｃと、ＤＯ７３ｃとを有する。制御装置７０ｄは、原子炉トリップ信号に関連する構成として、ＤＩ７１ｄと、ＯＲ回路７２ｄと、ＤＯ７３ｄとを有する。
【００４５】
ＤＩ７１ａ〜７１ｄは、それぞれ、検出部６０ａ〜６０ｄから送信された原子炉トリップ信号を受信する。ＯＲ回路７２ａ〜７２ｄは、それぞれ、ＤＩ７１ａ〜７１ｄで受信された原子炉トリップ信号と操作端末５０ａ〜５０ｄから送信された擬似的な原子炉トリップ信号を論理和演算した信号をＤＯ７３ａ〜７３ｄへ出力する。ＤＯ７３ａ〜７３ｄは、それぞれ、ＯＲ回路７２ａ〜７２ｄから出力された信号を、原子炉トリップ信号としてトリップ制御装置８０へ送信する。すなわち、制御装置７０ａ〜７０ｄからは、検出部６０ａ〜６０ｄから送信された原子炉トリップ信号と、操作端末５０ａ〜５０ｄから送信された擬似的な原子炉トリップ信号のいずれもが、原子炉トリップ信号としてトリップ制御装置８０へ送信される。
【００４６】
操作端末５０ａ〜５０ｄは、原子力発電プラントの運転のための各種操作を受け付けるとともに、原子力発電プラントの運転状況に関する各種情報を提示する。操作端末５０ａは、原子力発電プラント制御システム２の試験に関する構成として、疑似トリップボタン５１ａと、通知ランプ５２ａとを有する。操作端末５０ｂは、原子力発電プラント制御システム２の試験に関する構成として、疑似トリップボタン５１ｂと、通知ランプ５２ｂとを有する。操作端末５０ｃは、原子力発電プラント制御システム２の試験に関する構成として、疑似トリップボタン５１ｃと、通知ランプ５２ｃとを有する。操作端末５０ｄは、原子力発電プラント制御システム２の試験に関する構成として、疑似トリップボタン５１ｄと、通知ランプ５２ｄとを有する。
【００４７】
操作端末５０ａは、制御装置７０ａと同一の系統である。操作端末５０ｂは、制御装置７０ｂと同一の系統である。操作端末５０ｃは、制御装置７０ｃと同一の系統である。操作端末５０ｄは、制御装置７０ｄと同一の系統である。なお、疑似トリップボタン５１ａ〜５１ｄは、物理的なボタンであってもよいし、画面上に表示される仮想的なボタンであってもよい。
【００４８】
操作端末５０ａ〜５０ｄは、疑似トリップボタン５１ａ〜５１ｄが操作されると、行われた操作に応じて、対応する系統へ向けて擬似的な原子炉トリップ信号を送信する。操作端末５０から送信された擬似的な原子炉トリップ信号は、同一系統の制御装置７０を経て、トリップ制御装置８０へと到達するが、上述したように、トリップ制御装置８０は、少なくとも２つ以上の系統から信号が送信された場合に、制御棒駆動装置９０への電源供給回路を開放する。このため、疑似トリップボタン５１ａ〜５１ｄの１つが操作されて擬似的な原子炉トリップ信号が送信されても、トリップ制御装置８０によって、制御棒駆動装置９０への電源供給回路が開放されることはない。
【００４９】
また、原子力発電プラント制御システム２は、ＤＯ７３ａ〜７３ｄから送信された信号がトリップ制御装置８０に到達する前に分岐され、分岐された信号が同一系統の操作端末５０へ送信されるように構成されている。操作端末５０ａ〜５０ｄは、分岐された信号を受信すると、自装置の通知ランプ５２を点灯させる。すなわち、原子力発電プラント制御システム２は、トリップ制御装置８０が原子炉トリップ信号を阻止している場合であっても、疑似トリップボタン５１ａ〜５１ｄの操作に応じて送信された信号がＤＯ７３ａ〜７３ｄからトリップ制御装置８０へ向けて出力されると、その旨が通知ランプ５２ａ〜５２ｄによって通知されるように構成されている。
【００５０】
以上のような構成を有する原子力発電プラント制御システム２において、原子力発電プラントの運転中に図３に示す試験対象部分８（ＤＯ７３ａ〜７３ｄから信号が出力される部分）の試験が必要になった場合、中央制御室６内の運転員は以下のような操作を行う。
【００５１】
まず、運転員は、疑似トリップボタン５１ａ〜５１ｄの１つを操作して、擬似的な原子炉トリップ信号を操作端末５０から送信させ、通知ランプ５２ａ〜５２ｄのうち操作したボタンに対応するものが点灯するのを確認する。運転員は、疑似トリップボタン５１ａ〜５１ｄの他のボタンについても同様の操作を行って点灯の確認を行う。
【００５２】
このような操作により、原子力発電プラントが運転中であっても、制御棒駆動装置９０への電源供給回路を開放させることなく、試験対象部分８が正常に機能するか否かを系統ごとに試験することができる。
【００５３】
また、原子力発電プラント制御システム２では、運転員が中央制御室６に居ながらにして試験を行うことができるため、原子力発電プラント制御システム１と同様に、試験装置と、試験装置を操作する操作員とが不要となっている。
【００５４】
次に、図３に示した原子力発電プラント制御システム２の動作について図４を参照しながら説明する。図４は、原子力発電プラント制御システム２の動作を示すフロー図である。図４に示すように、制御装置７０は、ステップＳ２０として、信号（原子炉トリップ信号または擬似的な原子炉トリップ信号）を受信すると、ステップＳ２１として、受信した信号をトリップ制御装置８０へ向けて送信する。
【００５５】
このとき、原子力発電プラント制御システム２は、ステップＳ２２として、通知ランプ５２ａ〜５２ｄのうち受信した信号に対応する系統のものを点灯させる。
【００５６】
そして、トリップ制御装置８０は、信号を２系統以上から受信していなければ（ステップＳ２３，Ｎｏ）、ステップＳ２４として、原子炉トリップ信号が制御棒駆動装置９０へ送信されるのを阻止する。一方、トリップ制御装置８０は、信号を２系統以上から受信していれば（ステップＳ２３，Ｙｅｓ）、ステップＳ２５として、原子炉トリップ信号を制御棒駆動装置９０へ送信する。
【００５７】
上述してきたように、実施例２では、多数決回路８１を有するトリップ制御装置８０へ１系統ずつ擬似的な原子炉トリップ信号を送信することを可能にするとともに、多数決回路８１の動作にかかわらずトリップ制御装置８０への信号の送信状況を通知する通知ランプ５２ａ〜５２ｄを設けたので、中央制御室６に所在する運転員が、原子力発電プラントの運転を継続したまま原子力発電プラント制御システム２の試験を実施することができる。
【００５８】
なお、上記の各実施例で示した原子力発電プラント制御システムの構成は、本発明の要旨を逸脱しない範囲で任意に変更することができる。例えば、上記の各実施例で示した原子力発電プラント制御システムの構成は、任意に組み合わせることができる。
【００５９】
また、上記の各実施例では試験の結果を通知するために通知ランプを点灯させることとしたが、試験の結果を通知する方式としては、通知音を用いる方式、画面上に文字やシンボルを用いて結果を表示する方式等の各種方式を用いることができる。
【産業上の利用可能性】
【００６０】
以上のように、本発明に係る原子力発電プラント制御システムおよび原子力発電プラント検査方法は、原子力発電プラントに有用であり、特に、原子力発電プラントの運転中に試験を実施する場合に適している。
【符号の説明】
【００６１】
１、２  原子力発電プラント制御システム
６  中央制御室
７、８  試験対象部分
１０、５０ａ〜５０ｄ  操作端末
１１  試験許可ボタン
１２、５２ａ〜５２ｄ  通知ランプ
２０  操作盤
２１  制御ボタン
３０、７０ａ〜７０ｄ  制御装置
３１、７１ａ〜７１ｄ  ＤＩ
３２、７３ａ〜７３ｄ  ＤＯ
３３  制御信号阻止部
３３ａ  ＮＯＴ回路
３３ｂ  ＡＮＤ回路
４０  制御対象装置
５１ａ〜５１ｄ  疑似トリップボタン
６０ａ〜６０ｄ  検出部
７２ａ〜７２ｄ  ＯＲ回路
８０  トリップ制御装置
８１  多数決回路
９０  制御棒駆動装置
【図１】
0005660832.tif 000002
【図２】
0005660832.tif 000003
【図３】
0005660832.tif 000004
【図４】
0005660832.tif 000005